(57)【特許請求の範囲】
【請求項１】
時分割多元接続方式で多重化された信号を受信する端末無線装置であって、
前記信号を受信する受信部と、
前記受信部が受信した受信信号を復調する復調部と、
前記受信信号の前記端末無線装置に割り当てられたスロットにおいて、第１、第２、第３の区間の受信電界強度を検出する検出部と、
前記スロットの前記第１から第３の区間の受信電界強度に基づいて、複数のチャネルフォーマットの中から当該スロットのチャネルフォーマットを判別する判別部と、
前記判別部の判別結果に応じて、前記端末無線装置の動作モードを通常受信モード又は省電力モードに切り替える制御部と、
を備え、
前記省電力モードにおいて少なくとも前記復調部の機能が停止し、
前記複数のチャネルフォーマットは第１、第２、第３のチャネルフォーマットを含み、
前記第１のチャネルフォーマットにおいて、前記第１、第２、第３の区間は前記受信電界強度が相対的に高く、
前記第２のチャネルフォーマットにおいて、前記第１の区間は前記受信電界強度が相対的に低く、前記第２、第３の区間は前記受信電界強度が相対的に高く、
前記第３のチャネルフォーマットにおいて、前記第１、第２の区間は前記受信電界強度が相対的に低く、前記第３の区間は前記受信電界強度が相対的に高い、
端末無線装置。
【請求項２】
前記判別部は、前記第１、第２の区間の受信電界強度の差と予め定められた閾値とを比較して、前記受信信号のチャネルフォーマットが前記第２のチャネルフォーマットであるか否かを判別し、
前記判別部は、前記第２、第３の区間の受信電界強度の差と予め定められた閾値とを比較して、前記受信信号のチャネルフォーマットが前記第３のチャネルフォーマットであるか否かを判別する、
請求項１に記載の端末無線装置。
【請求項３】
前記第１のチャネルフォーマットは、フルバーストであり、
前記第２のチャネルフォーマットは、前記フルバーストよりもバースト長が短いハーフバーストであり、
前記第３のチャネルフォーマットは、前記ハーフバーストよりもバースト長が短い折り返し運用同期バーストであり、
前記折り返し運用同期バーストは、基地局から前記端末無線装置に対して折り返し通信を行う折り返し運用状態において使用されるチャネルフォーマットである、
請求項１又は請求項２に記載の端末無線装置。
【請求項４】
前記端末無線装置が前記省電力モードの状態において、前記判別部が前記受信信号のチャネルフォーマットが前記フルバーストであると判別した場合、前記制御部は、前記動作モードを前記省電力モードから前記通常受信モードに切り替える、
請求項３に記載の端末無線装置。
【請求項５】
前記判別部が、前記受信信号のチャネルフォーマットが前記フルバーストであると判別した場合、前記制御部は、前記フルバーストであると判別された前記スロットの受信途中において前記動作モードを前記省電力モードから前記通常受信モードに切り替え、前記復調部は当該スロットの受信途中から前記受信信号の復調を開始する、
請求項４に記載の端末無線装置。
【請求項６】
通話終了を示す信号を検出した後に、前記判別部が複数のフレームに渡って前記受信信号のチャネルフォーマットが前記ハーフバーストであると連続して判別した場合、前記制御部は、前記通常受信モードから前記省電力モードに切り替え、
通話終了を示す信号を検出した後に、前記判別部が複数のフレームに渡って前記受信信号のチャネルフォーマットが前記折り返し運用同期バーストであると連続して判別した場合、前記制御部は、前記通常受信モードから前記省電力モードに切り替える、
請求項３から請求項５のいずれか一項に記載の端末無線装置。
【請求項７】
前記制御部は、前記受信信号から同期ワードを検出し、
前記端末無線装置が前記通常受信モードの状態において、前記制御部が、複数のフレームに渡って同期ワードを連続して検出することができない場合、前記制御部は、前記通常受信モードから前記省電力モードに切り替える、
請求項１から請求項６のいずれか一項に記載の端末無線装置。
【請求項８】
前記スロットの前記第３の区間の受信電界強度に基づいて、前記受信部の受信ゲインを設定する受信ゲイン設定部をさらに備え、
前記制御部は、前記受信ゲイン設定部が設定した受信ゲインに基づいて、前記受信部の受信ゲインを切り替え、
前記受信ゲイン設定部は、前記第３の区間の電界強度がより大きい場合、前記受信部の受信ゲインをより小さく設定し、前記第３の区間の電界強度がより小さい場合、前記受信部の受信ゲインをより大きく設定する、
請求項１から請求項７のいずれか一項に記載の端末無線装置。
【請求項９】
時分割多元接続方式で多重化された信号を受信する端末無線装置であって、
前記信号を受信する受信部と、
前記受信部が受信した受信信号を復調する復調部と、
前記受信信号の前記端末無線装置に割り当てられたスロットにおいて、第１、第２、第３の区間の受信電界強度を検出する検出部と、
前記スロットの前記第１から第３の区間の受信電界強度に基づいて、複数のチャネルフォーマットの中から当該スロットのチャネルフォーマットを判別する判別部と、
前記判別部の判別結果に応じて、前記端末無線装置の動作モードを通常受信モード又は省電力モードに切り替える制御部と、
を備え、
前記省電力モードにおいて少なくとも前記復調部の機能が停止し、
前記制御部は、前記受信信号から同期ワードを検出し、
前記端末無線装置が前記通常受信モードの状態において、前記制御部が、複数のフレームに渡って同期ワードを連続して検出することができない場合、前記制御部は、前記通常受信モードから前記省電力モードに切り替える、
端末無線装置。
【請求項１０】
時分割多元接続方式で多重化された信号を受信する端末無線装置であって、
前記信号を受信する受信部と、
前記受信部が受信した受信信号を復調する復調部と、
前記受信信号の前記端末無線装置に割り当てられたスロットにおいて、第１、第２、第３の区間の受信電界強度を検出する検出部と、
前記スロットの前記第１から第３の区間の受信電界強度に基づいて、複数のチャネルフォーマットの中から当該スロットのチャネルフォーマットを判別する判別部と、
前記判別部の判別結果に応じて、前記端末無線装置の動作モードを通常受信モード又は省電力モードに切り替える制御部と、
前記スロットの前記第３の区間の受信電界強度に基づいて、前記受信部の受信ゲインを設定する受信ゲイン設定部と、
を備え、
前記省電力モードにおいて少なくとも前記復調部の機能が停止し、
前記制御部は、前記受信ゲイン設定部が設定した受信ゲインに基づいて、前記受信部の受信ゲインを切り替え、
前記受信ゲイン設定部は、前記第３の区間の電界強度がより大きい場合、前記受信部の受信ゲインをより小さく設定し、前記第３の区間の電界強度がより小さい場合、前記受信部の受信ゲインをより大きく設定する、
端末無線装置。
【請求項１１】
時分割多元方式で多重化された信号を受信する端末無線装置の制御方法であって、
前記端末無線装置は、
前記信号を受信する受信部と、
前記受信部が受信した受信信号を復調する復調部と、
前記受信信号の受信電界強度を検出する検出部と、
前記受信信号のチャネルフォーマットを判別する判別部と、
前記端末無線装置の動作モードを切り替える制御部と、
を備え、
端末無線装置の制御方法は、
（ａ）前記検出部が、前記端末無線装置に割り当てられたスロットの第１、第２、第３の区間の受信電界強度を検出する工程と、
（ｂ）前記判別部が、前記スロットの前記第１から第３の区間の受信電界強度に基づいて、複数のチャネルフォーマットの中から前記受信信号のチャネルフォーマットを判別する工程と、
（ｃ）前記制御部が、前記判別部の判別結果に応じて、前記端末無線装置の動作モードを通常受信モード又は省電力モードに切り替える工程と、
を備え、
前記省電力モードにおいて少なくとも前記復調部の機能が停止し、
前記複数のチャネルフォーマットは第１、第２、第３のチャネルフォーマットを含み、
前記第１のチャネルフォーマットにおいて、前記第１、第２、第３の区間は前記受信電界強度が相対的に高く、
前記第２のチャネルフォーマットにおいて、前記第１の区間は前記受信電界強度が相対的に低く、前記第２、第３の区間は前記受信電界強度が相対的に高く、
前記第３のチャネルフォーマットにおいて、前記第１、第２の区間は前記受信電界強度が相対的に低く、前記第３の区間は前記受信電界強度が相対的に高い、
端末無線装置の制御方法。
【請求項１２】
前記工程（ｂ）は、
（ｂ１）前記判別部が、前記第１、第２の区間の受信電界強度の差と予め定められた閾値とを比較する工程と、
（ｂ２）前記判別部が、前記工程（ｂ１）における比較結果に基づいて、前記チャネルフォーマットが前記第２のチャネルフォーマットであるか否かを判別する工程と、
（ｂ３）前記工程（ｂ２）において前記チャネルフォーマットが前記第２のチャネルフォーマットでないと判別された場合、前記判別部が、前記第２、第３の区間の受信電界強度の差と予め定められた閾値とを比較する工程と、
（ｂ４）前記判別部が、前記工程（ｂ３）における比較結果に基づいて、前記チャネルフォーマットが前記第３のチャネルフォーマットであるか否かを判別する工程と、
を備える、
請求項１１に記載の端末無線装置の制御方法。
【請求項１３】
前記第１のチャネルフォーマットは、フルバーストであり、
前記第２のチャネルフォーマットは、前記フルバーストよりもバースト長が短いハーフバーストであり、
前記第３のチャネルフォーマットは、前記ハーフバーストよりもバースト長が短い折り返し運用同期バーストであり、
前記折り返し運用同期バーストは、基地局において折り返し通信を行う折り返し運用状態において使用されるチャネルフォーマットである、
請求項１１又は請求項１２に記載の端末無線装置の制御方法。
【請求項１４】
前記工程（ｃ）は、
（ｃ１）前記端末無線装置が前記省電力モードの状態において、前記判別部が前記受信信号のチャネルフォーマットが前記フルバーストであると判別した場合、前記制御部が、前記動作モードを前記省電力モードから前記通常受信モードに切り替える工程を備える、
請求項１３に記載の端末無線装置の制御方法。
【請求項１５】
前記工程（ｃ１）において、前記制御部は、前記受信信号のチャネルフォーマットが前記フルバーストであると判別された前記スロットの受信途中において前記動作モードを前記省電力モードから前記通常受信モードに切り替え、
（ｄ）前記工程（ｃ１）における前記スロットの受信途中から前記復調部が前記受信信号の復調を開始する工程をさらに備える、
請求項１４に記載の端末無線装置の制御方法。
【請求項１６】
前記工程（ｃ）は、
（ｃ２）通話終了を示す信号を検出した後に、前記判別部が複数のスロットに渡って前記受信信号のフォーマットが前記ハーフバーストであると連続して判別した場合、前記制御部が、前記動作モードを前記通常受信モードから前記省電力モードに切り替える工程と、
（ｃ３）通話終了を示す信号を検出した後に、前記判別部が複数のスロットに渡って前記受信信号のフォーマットが前記折り返し運用同期バーストであると連続して判別した場合、前記制御部が、前記動作モードを前記通常受信モードから前記省電力モードに切り替える工程と、
をさらに備える、
請求項１３から請求項１５のいずれか一項に記載の端末無線装置の制御方法。
【請求項１７】
前記制御部は前記受信信号から同期ワードを検出し、
前記工程（ｃ）は、
前記端末無線装置が前記通常受信モードの状態において、前記制御部が、複数のスロットに渡って同期ワードを連続して検出することができない場合、前記制御部が、前記動作モードを前記通常受信モードから前記省電力モードに動作モードを切り替える工程を備える、
請求項１１から請求項１６のいずれか一項に記載の端末無線装置の制御方法。
【請求項１８】
端末無線装置は、前記受信部の受信ゲインを設定する受信ゲイン設定部をさらに備え、
前記端末無線装置の制御方法は、
（ｅ）前記受信ゲイン設定部が、前記スロットの前記第３の区間の受信電界強度に基づいて、前記受信部の受信ゲインを設定する工程と、
（ｆ）前記制御部が、前記受信ゲイン設定部が設定した受信ゲインに基づいて、前記受信部の受信ゲインを切り替える工程と、
をさらに備え、
前記工程（ｅ）において、受信ゲイン設定部は、前記第３の区間の電界強度がより大きい場合、前記受信部の受信ゲインをより小さく設定し、前記第３の区間の電界強度がより小さい場合、前記受信部の受信ゲインをより大きく設定する、
請求項１１から請求項１７のいずれか一項に記載の端末無線装置の制御方法。
【請求項１９】
時分割多元方式で多重化された信号を受信する端末無線装置の制御方法であって、
前記端末無線装置は、
前記信号を受信する受信部と、
前記受信部が受信した受信信号を復調する復調部と、
前記受信信号の受信電界強度を検出する検出部と、
前記受信信号のチャネルフォーマットを判別する判別部と、
前記端末無線装置の動作モードを切り替える制御部と、
を備え、
端末無線装置の制御方法は、
（ａ）前記検出部が、前記端末無線装置に割り当てられたスロットの第１、第２、第３の区間の受信電界強度を検出する工程と、
（ｂ）前記判別部が、前記スロットの前記第１から第３の区間の受信電界強度に基づいて、複数のチャネルフォーマットの中から前記受信信号のチャネルフォーマットを判別する工程と、
（ｃ）前記制御部が、前記判別部の判別結果に応じて、前記端末無線装置の動作モードを通常受信モード又は省電力モードに切り替える工程と、
を備え、
前記省電力モードにおいて少なくとも前記復調部の機能が停止し、
前記制御部は前記受信信号から同期ワードを検出し、
前記工程（ｃ）は、
前記端末無線装置が前記通常受信モードの状態において、前記制御部が、複数のスロットに渡って同期ワードを連続して検出することができない場合、前記制御部が、前記動作モードを前記通常受信モードから前記省電力モードに動作モードを切り替える工程を備える、
端末無線装置の制御方法。
【請求項２０】
時分割多元方式で多重化された信号を受信する端末無線装置の制御方法であって、
前記端末無線装置は、
前記信号を受信する受信部と、
前記受信部が受信した受信信号を復調する復調部と、
前記受信信号の受信電界強度を検出する検出部と、
前記受信信号のチャネルフォーマットを判別する判別部と、
前記端末無線装置の動作モードを切り替える制御部と、
前記受信部の受信ゲインを設定する受信ゲイン設定部と、
を備え、
端末無線装置の制御方法は、
（ａ）前記検出部が、前記端末無線装置に割り当てられたスロットの第１、第２、第３の区間の受信電界強度を検出する工程と、
（ｂ）前記判別部が、前記スロットの前記第１から第３の区間の受信電界強度に基づいて、複数のチャネルフォーマットの中から前記受信信号のチャネルフォーマットを判別する工程と、
（ｃ）前記制御部が、前記判別部の判別結果に応じて、前記端末無線装置の動作モードを通常受信モード又は省電力モードに切り替える工程と、
を備え、
前記省電力モードにおいて少なくとも前記復調部の機能が停止し、
前記端末無線装置の制御方法は、
（ｅ）前記受信ゲイン設定部が、前記スロットの前記第３の区間の受信電界強度に基づいて、前記受信部の受信ゲインを設定する工程と、
（ｆ）前記制御部が、前記受信ゲイン設定部が設定した受信ゲインに基づいて、前記受信部の受信ゲインを切り替える工程と、
をさらに備え、
前記工程（ｅ）において、受信ゲイン設定部は、前記第３の区間の電界強度がより大きい場合、前記受信部の受信ゲインをより小さく設定し、前記第３の区間の電界強度がより小さい場合、前記受信部の受信ゲインをより大きく設定する、
端末無線装置の制御方法。
【発明の詳細な説明】
【技術分野】
【０００１】
本発明は端末無線装置および端末無線装置の制御方法に関し、特に、時分割多元接続方式の端末無線装置および端末無線装置の制御方法に関する。
【背景技術】
【０００２】
時分割多元接続（ＴＤＭＡ）方式のデジタル無線通信システムが知られている。このシステムにおいて使用される従来の端末無線装置においては、運用時間を長時間化するため、信号の送受信を行わない非通信時において省電力制御を行っている。省電力制御において、例えば、非通信時には比較的消費電力の大きいＣＰＵ等の各種デバイスへの電力の供給が停止される。
【０００３】
一方で信号の送受信を行う通常受信モードにおいては、信号を受信するために無線装置の受信回路、信号をＡ／Ｄ変換するためのＡＤＣ等、受信に必要な構成要素に電力が供給され、受信した信号に対して復調処理が行われる。このように、従来の端末無線装置は、通信の開始時に省電力モードから通常受信モードに切り替わり、通信が終了すると通常受信モードから省電力モードに切り替わる。
【０００４】
従来の端末無線装置においては、省電力モードにおいて、割り当てられたスロットの前半と後半の受信電界強度（以降ではＲＳＳＩとも記載する）の監視を行い、ＲＳＳＩが閾値を超えると、省電力モードから通常受信モードへ切り替わっていた（例えば、特許文献１参照）。
【先行技術文献】
【特許文献】
【０００５】
【特許文献１】特開２００３−１３４０２７号公報
【発明の概要】
【発明が解決しようとする課題】
【０００６】
サービスエリア全域に複数の基地局から同時に同じ無線チャネルで制御信号を送信する複局同時送信を行うシステムにおいて、通常、基地局は、各基地局を統制する中央局の通信制御装置とリンク回線によって接続されている。基地局から端末無線装置への下り回線の音声通信のための通信チャネル（Ｖｃｈ）において、通話時はフルバースト、無通話時はハーフバーストといった異なるバースト長の信号が送信される。特許文献１に記載の端末無線装置においては、端末無線装置が、どちらのバーストが送信されたかを検出することで、通話／無通話を判断し、通常受信モード、省電力モードの切り替えを行っていた。
【０００７】
基地局と中央局の通信制御装置との間の通信が障害等で不可能になった場合においては、端末無線装置から基地局への上り回線から送られてきた音声通信を基地局の装置内で折り返して、基地局向けの下り回線に中継する基地局折り返し通信に自動的に切り替わる。
【０００８】
折り返し運用時においては、下り回線の音声通信のための通信チャネル（Ｖｃｈ）において無通話時は同期ワード(ＳＷＣＨ)のみを送信するチャネルフォーマットの信号（即ち、折り返し運用同期バースト）が送信される。これは、複局同時送信による他の基地局への妨害を防ぐためである。
【０００９】
従来の端末無線装置においては、折り返し運用同期バーストを判別することができなかった。そのため、折り返し運用時において、非通話状態であるにもかかわらず、通常受信モードから省電力モードへの切り替えを行うことができなかった。従って、従来の端末無線装置においては消費電力が増大する問題があった。
【００１０】
本発明は以上のような課題を解決するためになされたものであり、基地局から送信される信号のチャネルフォーマットを判別して、省電力モードに適切に切り替える端末無線装置および端末無線装置の制御方法の提供を目的とする。
【課題を解決するための手段】
【００１１】
本発明に係る端末無線装置は、時分割多元接続方式で多重化された信号を受信する端末無線装置であって、信号を受信する受信部と、受信部が受信した受信信号を復調する復調部と、受信信号の端末無線装置に割り当てられたスロットにおいて、第１、第２、第３の区間の受信電界強度を検出する検出部と、スロットの第１から第３の区間の受信電界強度に基づいて、複数のチャネルフォーマットの中からスロットのチャネルフォーマットを判別する判別部と、判別部の判別結果に応じて、端末無線装置の動作モードを通常受信モード又は省電力モードに切り替える制御部と、を備え、省電力モードにおいて少なくとも復調部の機能が停止し、複数のチャネルフォーマットは第１、第２、第３のチャネルフォーマットを含み、第１のチャネルフォーマットにおいて、第１、第２、第３の区間は受信電界強度が相対的に高く、第２のチャネルフォーマットにおいて、第１の区間は受信電界強度が相対的に低く、第２、第３の区間は受信電界強度が相対的に高く、第３のチャネルフォーマットにおいて、第１、第２の区間は受信電界強度が相対的に低く、第３の区間は受信電界強度が相対的に高い。
【００１２】
本発明に係る端末無線装置の制御方法は、時分割多元方式で多重化された信号を受信する端末無線装置の制御方法であって、端末無線装置は、信号を受信する受信部と、受信部が受信した受信信号を復調する復調部と、受信信号の受信電界強度を検出する検出部と、受信信号のチャネルフォーマットを判別する判別部と、端末無線装置の動作モードを切り替える制御部と、を備え、端末無線装置の制御方法は、（ａ）検出部が、端末無線装置に割り当てられたスロットの第１、第２、第３の区間の受信電界強度を検出する工程と、（ｂ）判別部が、スロットの第１から第３の区間の受信電界強度に基づいて、複数のチャネルフォーマットの中から受信信号のチャネルフォーマットを判別する工程と、（ｃ）制御部が、判別部の判別結果に応じて、端末無線装置の動作モードを通常受信モード又は省電力モードに切り替える工程と、を備え、省電力モードにおいて少なくとも復調部の機能が停止し、複数のチャネルフォーマットは第１、第２、第３のチャネルフォーマットを含み、第１のチャネルフォーマットにおいて、第１、第２、第３の区間は受信電界強度が相対的に高く、第２のチャネルフォーマットにおいて、第１の区間は受信電界強度が相対的に低く、第２、第３の区間は受信電界強度が相対的に高く、第３のチャネルフォーマットにおいて、第１、第２の区間は受信電界強度が相対的に低く、第３の区間は受信電界強度が相対的に高い。
【発明の効果】
【００１３】
本発明に係る端末無線装置および端末無線装置の制御方法において、検出部は、受信信号の端末無線装置に割り当てられたスロットにおいて、第１、第２、第３の区間の受信電界強度を検出する。これにより、２つの区間でのみ受信電界強度を検出する場合と比較して、より多くの種類のチャネルフォーマットをより精度良く判別することが可能となる。従って、非通話状態を示すチャネルフォーマットを精度良く判別して、通常受信モードから省電力モードへの切り替えを適切に行うことが可能である。通常受信モードから省電力モードへの切り替えを適切に行うことにより、端末無線装置の消費電力を低減させることが可能である。
【図面の簡単な説明】
【００１４】
【図１】実施の形態１に係る無線通信システムの構成を示す図である。
【図２】実施の形態１に係る端末無線装置が受信する受信信号の模式図である。
【図３】実施の形態１に係る端末無線装置が受信する受信信号の第１のチャネルフォーマットであるフルバーストの模式図である。
【図４】実施の形態１に係る端末無線装置が受信する受信信号の第２のチャネルフォーマットであるハーフバーストの模式図である。
【図５】実施の形態１に係る端末無線装置が受信する受信信号の第３のチャネルフォーマットである折り返し運用同期バーストの模式図である。
【図６】実施の形態１に係る端末無線装置のブロック図である。
【図７】実施の形態１に係る端末無線装置の動作モードの切り替え動作を示すフローチャートである。
【図８】実施の形態１に係る端末無線装置の省電力モードから通常受信モードへの切り替えを示す模式図である。
【図９】実施の形態１に係る端末無線装置の通常受信モードから省電力モードへの切り替えを示す模式図である。
【図１０】実施の形態１に係る端末無線装置の判別部の動作を示すフローチャートである。
【図１１】実施の形態２に係る端末無線装置のブロック図である。
【図１２】実施の形態２に係る端末無線装置の受信ゲインの切り替えを説明する模式図である。
【発明を実施するための形態】
【００１５】
＜実施の形態１＞
＜構成＞
図１は、本実施の形態１の無線通信システムの構成を示す図である。図１に示すように、無線通信システムは、中央局１０、複数の基地局２０、複数の端末無線装置１００を備える。中央局１０は、通信制御装置１１および中央設備１２を備える。各基地局２０は、基地局制御装置２１および無線装置２２を備える。
【００１６】
中央局１０の通信制御装置１１は、エリア内の無線通信システム全体を制御するための装置である。基地局制御装置２１は、無線中継所等に設置される。無線装置２２は、送受信機能を備えた中継用の無線装置であり、中央局１０の中央設備１２と端末無線装置１００との間、および端末無線装置１００同士の相互の無線通信を中継するために設置される。基地局制御装置２１は、無線装置２２の制御、監視等を行うための装置である。中央局１０と基地局２０の間、および基地局２０間はリンク回線にて接続されている。
【００１７】
次に、本実施の形態１の無線通信システムにおける無線回線のチャネル構造について説明する。無線通信システムにおいては、多重化方式としてＴＤＭＡ方式が採用されている。図２に示すように、下り回線の信号は連続した複数のフレームの繰り返しで構成される。各フレームにはＮ個（例えば４個）のスロットが定義されており、各スロットが個々の端末無線装置に対して割り当てられる。
【００１８】
基地局２０と端末無線装置１００間の下り回線において、音声通信のための通信チャネル（Ｖｃｈ）は、基地局２０の通信状態により第１、第２、第３の異なるチャネルフォーマットが使用される。第１のチャネルフォーマットはフルバーストである。第２のチャネルフォーマットは、フルバーストよりもバースト長が短いハーフバーストである。第３のチャネルフォーマットは、ハーフバーストよりもバースト長が短い折り返し運用同期バーストである。
【００１９】
本実施の形態１において、基地局２０は、通話が発生した場合にフルバーストを送信し、無通話時はハーフバーストを送信する。また。基地局２０が折り返し運用状態の場合は無通話時に折り返し運用同期バーストを送信する。
【００２０】
ここで、折り返し運用とは、図１に破線の矢印で示すように、基地局２０と中央局１０の通信制御装置１１との間の通信が障害等で不可能になった場合において、端末無線装置１００から基地局２０への上り回線から送られてきた音声通信を基地局２０の装置内で折り返して、基地局向けの下り回線に中継する運用である。
【００２１】
図３は、フルバーストのチャネルフォーマットを示す模式図である。図４は、ハーフバーストのチャネルフォーマットを示す模式図である。図５は、折り返し運用同期バーストのチャネルフォーマットを示す模式図である。
【００２２】
図３に示すように、フルバーストのチャネルフォーマットは、バースト過渡応答用ランプ時間（Ｒ）、プリアンブル（Ｐ）、２つのユーザ個別チャネル（ＵＳＣ）、同期ワード（ＳＷ）、識別子（Ｉ）、低速付随制御チャネル（ＳＡ）、伝搬遅延時間対策用ガードタイム（Ｇ）から構成されている。
【００２３】
図４に示すように、ハーフバーストのチャネルフォーマットにおいて、スロットの先頭から約２割がガードタイム（Ｇ）となっている。また、スロットの残りは、バースト過渡応答用ランプ時間（Ｒ）、プリアンブル（Ｐ）、下り回線の同期維持および電界監視のための通信系情報チャネル（ＲＩＣＨ）、同期ワード（ＳＷ）、識別子（Ｉ）と、低速付随制御チャネル（ＳＡ）、ユーザ個別チャネル（ＵＳＣ）、伝搬遅延時間対策用ガードタイム（Ｇ）から構成されている。
【００２４】
図５に示すように、折り返し運用同期バーストのチャネルフォーマットにおいて、バースト過渡応答用ランプ時間（Ｒ）と同期ワード（ＳＷ）以外の区間は、全てガードタイム（Ｇ）で構成されている。
【００２５】
本実施の形態１では、受信信号のスロットにおいて第１、第２、第３の区間Ｓ１，Ｓ２，Ｓ３が規定される。図４に示すように、第１の区間Ｓ１は、スロット先頭からガードタイム（Ｇ）終わりまでの区間として規定される。図５に示すように、第２の区間Ｓ２は、第１の区間Ｓ１の終わりから、ガードタイム（Ｇ）の終わりまでの区間として規定される。図３から図５に示すように、第３の区間Ｓ３は、第２の区間Ｓ２の終わりから同期ワード（ＳＷ）の終わりまでの区間として規定される。なお、第１から第３の区間Ｓ１，Ｓ２，Ｓ３は、第１から第３のチャネルフォーマット（図３から図５）において共通である。
【００２６】
図３から図５に示すように、チャネルフォーマットのガードタイム（Ｇ）の区間においては出力がないため、他の機能チャネルの区間に比べてＲＳＳＩが低くなる。つまり、第１のチャネルフォーマット（即ちフルバースト）において、第１、第２、第３の区間Ｓ１，Ｓ２，Ｓ３はＲＳＳＩが相対的に高い。また、第２のチャネルフォーマット（即ちハーフバースト）において、第１の区間Ｓ１はＲＳＳＩが相対的に低く、第２、第３の区間Ｓ２，Ｓ３はＲＳＳＩが相対的に高い。また、第３のチャネルフォーマット（即ち折り返し運用同期バースト）において、第１、第２の区間Ｓ１，Ｓ２はＲＳＳＩが相対的に低く、第３の区間Ｓ３はＲＳＳＩが相対的に高い。
【００２７】
図６は、本実施の形態１の端末無線装置１００のブロック図である。図６に示すように、端末無線装置１００は、受信部５０と、復調部３１と、検出部３２と、判別部３３と、制御部４０とを備える。
【００２８】
受信部５０は、基地局２０から送信される信号を受信する。受信部５０は、アンテナ５１、無線部５２、アナログ−デジタル変換部５３（以降ではＡ／Ｄ変換部５３とも記載する）、ベースバンド信号生成部５４を備える。
【００２９】
無線部５２は、アンテナ５１から受信したアナログのＲＦ（ｒａｄｉｏ  ｆｒｅｑｕｅｎｃｙ）信号に対して、周波数変換やフィルタリングを行い、アナログＩＦ（ｉｎｔｅｒｍｅｄｉａｔｅ  ｆｒｅｑｕｅｎｃｙ）信号を出力する。Ａ／Ｄ変換部５３は、無線部５２からのアナログＩＦ信号をデジタルＩＦ信号に変換する。ベースバンド信号生成部５４は、Ａ／Ｄ変換部５３から送られたデジタルＩＦ信号をデジタルダウンコンバートしてベースバンドのＩ／Ｑ（Ｉｎ−ｐｈａｓｅ、Ｑｕａｄｒａｔｕｒｅ−ｐｈａｓｅ）信号を生成する。
【００３０】
復調部３１は、ベースバンド信号生成部５４からのＩ／Ｑ信号を復号化してデータを出力する。検出部３２は、図３から図５に示すように、端末無線装置１００に割り当てられたスロットのうち、第１から第３の区間Ｓ１，Ｓ２，Ｓ３のそれぞれにおいてＲＳＳＩを検出する。第１から第３の区間Ｓ１，Ｓ２，Ｓ３のＲＳＳＩの検出は、通常受信モード、省電力モードに関わらず行われる。本実施の形態１では、図２の「スロット２」が端末無線装置１００に割り当てられているとする。なお、以降では、端末無線装置１００に割り当てられたスロットのことを「割り当てスロット」と記載する。
【００３１】
判別部３３は、検出部３２が検出した第１から第３の区間Ｓ１，Ｓ２，Ｓ３のＲＳＳＩに基づいて、第１から第３のチャネルフォーマットの中から割り当てスロットのチャネルフォーマットを判別する。ここで、第１から第３のチャネルフォーマットはそれぞれ、フルバースト、ハーフバースト、折り返し運用同期バーストである。
【００３２】
制御部４０は、判別部３３の判別結果に応じて、端末無線装置１００の動作モードを通常受信モード又は省電力モードに切り替える。
【００３３】
ここで、通常受信モードとは、受信部５０および復調部３１に電力が供給されているモードである。また、省電力モードとは、受信部５０の一部および復調部３１への電力の供給が停止しているモードである。省電力モードにおいて、ＲＳＳＩを検出するタイミング以外では、無線部５２の一部やＡ／Ｄ変換部５３へは電力が供給されず、また省電力モード中は復調部３１は、Ｉ、Ｑ信号の復号化を行わない。
【００３４】
制御部４０は、復調部３１で復調された復調データから同期ワード（ＳＷ）を検出する。また、制御部４０は、無線部５２の電源制御など、装置全体の制御の役割を担う。省電力モード中の制御部４０は、判別部３３から動作開始を指示する信号を受け取ると動作を開始する。制御部４０は、動作開始直後に復調部３１を起動させるための信号と、省電力モード中は電力が供給されていなかった無線部５２の一部の構成要素へ電力を供給するための電源ＯＮ／ＯＦＦ制御信号を出力し、省電力モードを解除して通常受信モードへ移行する。
【００３５】
制御部４０は、第１、第２のカウンタ部４１，４２を備える。第１のカウンタ部４１は、端末無線装置１００がハーフバーストおよび折り返し運用同期バーストを何回連続して受信したかをカウントする。第２のカウンタ部４２は、制御部４０で同期ワード（ＳＷ）が検出できない場合が何回連続して起きたかをカウントする。
【００３６】
図４および図５に斜線の領域で示すように、省電力モードにおいて、検出部３２は、１フレーム中の割り当てスロット（以下、当該スロット）のうち、第１から第３の区間Ｓ１，Ｓ２，Ｓ３でのみＲＳＳＩを検出する。
【００３７】
＜動作モードの切り替え動作＞
端末無線装置１００における、通常受信モードと省電力モードの切り替え動作について説明する。図７は、動作モードの切り替え動作を示すフローチャートである。図８は、省電力モードから通常受信モードへの切り替えを示す模式図である。図９は、通常受信モードから省電力モードへの切り替えを示す模式図である。
【００３８】
まず、端末無線装置１００が省電力モードであるとする（ステップＳ１０１）。次に、制御部４０は、端末無線装置１００が通話エリア圏内にあるか否か判定を行う（ステップＳ１０２）。以下では端末無線装置１００が通話エリア圏内にある場合を想定する。
【００３９】
制御部４０は、省電力モードの端末無線装置１００が受信している割り当てスロットのチャネルフォーマットがフルバーストか否かの判別を行う（ステップＳ１０３）。この判別は判別部３３の動作に基づいて行われる。判別部３３の動作については後述する。
【００４０】
端末無線装置１００が受信している割り当てスロットのチャネルフォーマットがフルバーストである場合、制御部４０は、端末無線装置１００の動作モードを省電力モードから通常受信モードに切り替える（ステップＳ１０４）。より具体的には図８に示すように、フレーム１の割り当てスロット（図８の斜線を付したスロット２）のチャネルフォーマットが折り返し同期バーストであり、次のフレーム２のスロット２のチャネルフォーマットがフルバーストである場合、制御部４０は即座に動作モードを省電力モードから通常受信モードに切り替える。つまり、制御部４０は、復調部３１に復調部３１を起動させるための信号を送信し、省電力モード中は電力が供給されていなかった無線部５２の一部の構成要素へ電力を供給するための電源ＯＮ／ＯＦＦ制御信号を送信する。起動した復調部３１は、フレーム２のフルバーストのスロット２の後半のユーザ個別チャネル（ＵＳＣ）（図３を参照）から受信信号の復号を開始する。
【００４１】
次に、通常受信モードから省電力モードへの切り替え動作を説明する。まず、端末無線装置１００が通常受信モードであるとする（ステップＳ１０４）。次に、制御部４０は通話終了を示す信号を検出する（ステップＳ１０５）。
【００４２】
通話終了を示す信号を検出した後、制御部４０は、複数のフレームに渡って受信信号のフォーマットがハーフバースト又は折り返し運用同期バーストであるか否かの判別を行う（ステップＳ１０６）。ここで複数のフレームの個数は予め定められた個数である。また、フレームのカウントは、第１のカウンタ部４１が行う。
【００４３】
複数のフレームに渡って受信信号のフォーマットがハーフバースト又は折り返し運用同期バーストであった場合、制御部４０は、端末無線装置１００の動作モードを通常受信モードから省電力モードに切り替える（ステップＳ１０７）。より具体的には図９に示すように、フレーム１の割り当てスロット（図９の斜線を付したスロット２）のチャネルフォーマットがフルバーストであり、次のフレーム２のスロット２のチャネルフォーマットがハーフバースト又は折り返し運用同期バーストである場合、第２のカウンタ部４２はカウントを開始し、フレームＮ＋１まで連続してチャネルフォーマットがハーフバースト又は折り返し運用同期バーストであった場合、制御部４０は、フレームＮ＋１において動作モードを通常受信モードから省電力モードに切り替える。つまり、制御部４０は、復調部３１に復調部３１を停止させるための信号を送信し、無線部５２の一部の構成要素へ電力の供給を供給するための電源ＯＮ／ＯＦＦ制御信号を送信する。
【００４４】
以上では、端末無線装置１００が通話エリア圏内にある場合を想定したが、以下では端末無線装置１００が通話エリア圏内に無い場合を想定する。
【００４５】
制御部４０は、一定周期で複数フレームに渡って制御チャネル（Ｃｃｈ）の捕捉を行い、制御チャネルを捕捉したか否かの判定を行う（ステップＳ１０８）。制御チャネル（Ｃｃｈ）を捕捉した場合、制御部４０は動作モードを省電力モードから通常受信モードに切り替える（ステップＳ１０９）。なお、端末無線装置１００のユーザが、端末無線装置１００に対してキー操作を行った場合にも、制御部４０は動作モードを省電力モードから通常受信モードに切り替える。
【００４６】
端末無線装置１００が通話エリアの圏内に無い場合、通常受信モードの端末無線装置１００の制御部は、同期ワード（ＳＷ）を検出したか否かの判定を行う（ステップＳ１１０）。制御部４０が同期ワード（ＳＷ）を検出した場合は、ステップＳ１０５へ進む。制御部４０が同期ワード（ＳＷ）を検出できない場合、制御部４０は、複数のフレームに渡って同期ワード（ＳＷ）を連続して検出することができないか否かの判定を行う（ステップＳ１１１）。ここで複数のフレームの個数は予め定められた個数である。また、フレームのカウントは、第２のカウンタ部４２が行う。複数のフレームに渡って同期ワードを連続して検出することができない場合、制御部は動作モードを通常受信モードから省電力モードに切り替える。
【００４７】
なお、端末無線装置１００が省電力モードに切り替わるためには、端末無線装置１００で設定されている時間だけ、ユーザによるキー操作が行われないことが前提条件として存在する。
【００４８】
＜判別部の動作＞
端末無線装置１００の判別部３３の動作について説明する。図１０は、判別部３３の動作を示すフローチャートである。以下では、第１、第２、第３の区間Ｓ１，Ｓ２，Ｓ３のＲＳＳＩをそれぞれＶ１、Ｖ２、Ｖ３と定義する。また、予め定められた閾値をＤと定義する。
【００４９】
まず、判別部３３は、割り当てスロットの第１の区間Ｓ１のＲＳＳＩ（Ｖ１）と第２の区間Ｓ２のＲＳＳＩ（Ｖ２）の差（｜Ｖ２−Ｖ１｜）と、閾値Ｄを比較する（ステップＳ２０１）。判別部３３は、｜Ｖ２−Ｖ１｜が閾値Ｄ以上か否かの判定を行う（ステップＳ２０２）。そして、｜Ｖ２−Ｖ１｜が閾値Ｄ以上の場合、判別部３３は判別対象のスロットのチャネルフォーマットがハーフバーストであると判別する（ステップＳ２０３）。一方、｜Ｖ２−Ｖ１｜が閾値Ｄ以上でない場合、判別部３３は割り当てスロットのチャネルフォーマットがハーフバーストでないと判別して、ステップＳ２０４へ進む。
【００５０】
ハーフバーストのチャネルフォーマットにおいては、第１の区間Ｓ１はガードタイム（Ｇ）、第２の区間Ｓ２は通信系情報チャネル（ＲＩＣＨ）が占めているため、第１、第２の区間Ｓ１，Ｓ２においてＲＳＳＩのレベル差が大きくなる。一方で、フルバーストのチャネルフォーマットにおいては、第１、第２の区間Ｓ１，Ｓ２はともにユーザ個別チャネル（ＵＳＣ）が占めているため、ＲＳＳＩのレベル差が小さい。また、折り返し運用同期バーストのチャネルフォーマットにおいては、第１、第２の区間Ｓ１，Ｓ２はともにガードタイム（Ｇ）が占めているため、ＲＳＳＩのレベル差が小さい。従って、割り当てスロットの第１、第２の区間Ｓ１，Ｓ２のＲＳＳＩのレベル差を比較ことにより、チャネルフォーマットがハーフバーストであるか否かを判別可能である。
【００５１】
ステップＳ２０４において判別部３３は、割り当てスロットの第２の区間Ｓ２のＲＳＳＩ（Ｖ２）と第３の区間Ｓ３のＲＳＳＩ（Ｖ３）の差（｜Ｖ３−Ｖ２｜）と、閾値Ｄを比較する。判別部３３は、｜Ｖ３−Ｖ２｜が閾値Ｄ以上か否かの判定を行う（ステップＳ２０５）。そして、｜Ｖ３−Ｖ２｜が閾値Ｄ以上の場合、判別部３３は割り当てスロットのチャネルフォーマットが折り返し運用同期バーストであると判別する（ステップＳ２０６）。
【００５２】
一方、｜Ｖ３−Ｖ２｜が閾値Ｄ以上でない場合、判別部３３は判別対象のスロットのチャネルフォーマットがフルバーストであると判別する（ステップＳ２０７）。
【００５３】
フルバーストのチャネルフォーマットにおいては、第２の区間Ｓ２はユーザ個別チャネル（ＵＳＣ）、第３の区間Ｓ３は同期ワード（ＳＷ）が占めているため、第２、第３の区間Ｓ２，Ｓ３においてＲＳＳＩのレベル差が小さくなる。一方で、折り返し運用同期バーストのチャネルフォーマットにおいては、第２の区間Ｓ２はガードタイム（Ｇ）、第３の区間Ｓ３は同期ワード（ＳＷ）が占めているため、ＲＳＳＩのレベル差が大きくなる。従って、割り当てスロットの第２、第３の区間Ｓ２，Ｓ３のＲＳＳＩのレベル差を比較することにより、チャネルフォーマットがフルバーストか折り返し運用同期バーストか否か判別することが可能である。
【００５４】
＜効果＞
本実施の形態１における端末無線装置１００は、時分割多元接続方式で多重化された信号を受信する端末無線装置であって、信号を受信する受信部５０と、受信部５０が受信した受信信号を復調する復調部３１と、受信信号の端末無線装置１００に割り当てられたスロットにおいて、第１、第２、第３の区間Ｓ１，Ｓ２，Ｓ３の受信電界強度（ＲＳＳＩ）を検出する検出部３２と、スロットの第１から第３の区間Ｓ１，Ｓ２，Ｓ３の受信電界強度に基づいて、複数のチャネルフォーマットの中からスロットのチャネルフォーマットを判別する判別部３３と、判別部３３の判別結果に応じて、端末無線装置１００の動作モードを通常受信モード又は省電力モードに切り替える制御部４０と、を備え、省電力モードにおいて少なくとも復調部３１の機能が停止する。
【００５５】
本実施の形態１において、検出部３２は、受信信号の端末無線装置１００に割り当てられたスロットにおいて、第１、第２、第３の区間Ｓ１，Ｓ２，Ｓ３のＲＳＳＩを検出する。これにより、２つの区間でのみＲＳＳＩを検出する場合と比較して、より多くの種類のチャネルフォーマットをより精度良く判別することが可能となる。従って、非通話状態を示すチャネルフォーマットを精度良く判別して、通常受信モードから省電力モードへの切り替えを適切に行うことが可能である。通常受信モードから省電力モードへの切り替えを適切に行うことにより、端末無線装置１００の消費電力を低減させることが可能である。
【００５６】
また、本実施の形態１における端末無線装置１００において、複数のチャネルフォーマットは第１、第２、第３のチャネルフォーマットを含み、第１のチャネルフォーマットにおいて、第１、第２、第３の区間Ｓ１，Ｓ１，Ｓ２は受信電界強度が相対的に高く、第２のチャネルフォーマットにおいて、第１の区間Ｓ１は受信電界強度が相対的に低く、第２、第３の区間Ｓ２，Ｓ３は受信電界強度が相対的に高く、第３のチャネルフォーマットにおいて、第１、第２の区間Ｓ１，Ｓ２は受信電界強度が相対的に低く、第３の区間Ｓ２，Ｓ３は受信電界強度が相対的に高い。
【００５７】
従って、上記のように第１、第２、第３の区間Ｓ１，Ｓ２，Ｓ３を規定することにより、第１、第２、第３の区間Ｓ１，Ｓ２，Ｓ３のＲＳＳＩに基づいて第１、第２、第３のチャネルフォーマットを判別することが可能となる。
【００５８】
また、本実施の形態１における端末無線装置１００において、第１のチャネルフォーマットは、フルバーストであり、第２のチャネルフォーマットは、フルバーストよりもバースト長が短いハーフバーストであり、第３のチャネルフォーマットは、ハーフバーストよりもバースト長が短い折り返し運用同期バーストであり、折り返し運用同期バーストは、基地局２０から端末無線装置１００に対して折り返し通信を行う折り返し運用状態において使用されるチャネルフォーマットである。
【００５９】
従来の端末無線装置において判別が可能であったフルバースト、ハーフバーストに加えて、本実施の形態１の端末無線装置１００では、折り返し運用同期バーストの判別が可能となる。これにより、折り返し運用時においても、端末無線装置１００に省電力モードを適用することが可能となり、消費電力を低減させることが可能である。
【００６０】
また、本実施の形態１における端末無線装置１００において、判別部３３は、第１、第２の区間Ｓ１，Ｓ２の受信電界強度の差と予め定められた閾値とを比較して、受信信号のチャネルフォーマットが第２のチャネルフォーマット（即ちハーフバースト）であるか否かを判別し、判別部３３は、第２、第３の区間Ｓ２，Ｓ３の受信電界強度の差と予め定められた閾値とを比較して、受信信号のチャネルフォーマットが第３のチャネルフォーマット（即ち折り返し運用同期バースト）であるか否かを判別する。
【００６１】
従って、第１、第２の区間Ｓ１，Ｓ２のＲＳＳＩに基づいてチャネルフォーマットが第２のチャネルフォーマット（即ちハーフバースト）か否か判別を行い、その次に、第２、第３の区間Ｓ２，Ｓ３のＲＳＳＩに基づいてチャネルフォーマットが第３のチャネルフォーマット（即ち折り返し運用同期バースト）か否か判別を行うことにより、第１から第３のチャネルフォーマットを判別することが可能である。
【００６２】
また、本実施の形態１における端末無線装置１００において、端末無線装置１００が省電力モードの状態において、判別部３３が受信信号のフォーマットがフルバーストであると判別した場合、制御部４０は、動作モードを省電力モードから通常受信モードに切り替える。従って、端末無線装置１００は基地局２０から受信する信号の変調を開始することが可能である。
【００６３】
また、本実施の形態１における端末無線装置１００において、判別部３３が、受信信号のフォーマットがフルバーストであると判別した場合、制御部４０は、フルバーストであると判別されたスロットの受信途中において動作モードを省電力モードから通常受信モードに切り替え、復調部３１はスロットの受信途中から受信信号の復調を開始する。
【００６４】
従って、本実施の形態１の端末無線装置１００は、フルバーストと判別されたスロットの受信途中から復調を開始するため、次のフレームのスロットから復調を開始する場合と比較して、より早く通信を開始することが可能となる。
【００６５】
また、本実施の形態１における端末無線装置１００において、通話終了を示す信号を検出した後に、判別部３３が複数のフレームに渡って受信信号のフォーマットがハーフバーストであると連続して判別した場合、制御部４０は、動作モードを通常受信モードから省電力モードに切り替え、通話終了を示す信号を検出した後に、判別部３３が複数のフレームに渡って受信信号のフォーマットが折り返し運用同期バーストであると連続して判別した場合、制御部４０は、動作モードを通常受信モードから省電力モードに切り替える。
【００６６】
従って、通話終了を示す信号を検出した後に、複数のフレームに渡って受信信号のフォーマットがハーフバースト又は折り返し運用同期バーストであると連続して判別された場合に通常受信モードから省電力モードに切り替えるため、通信中に誤って省電力モードに切り替わってしまうことを抑制可能である。
【００６７】
また、本実施の形態１における端末無線装置１００において、制御部４０は、受信信号から同期ワード（ＳＷ）を検出し、端末無線装置１００が通常受信モードの状態において、制御部４０が、複数のフレームに渡って同期ワード（ＳＷ）を連続して検出することができない場合、制御部４０は、動作モードを通常受信モードから省電力モードに切り替える。従って、端末無線装置１００が通話エリア圏内に無い場合において省電力モードに切り替えることが可能である。
【００６８】
本実施の形態１における端末無線装置１００の制御方法は、時分割多元方式で多重化された信号を受信する端末無線装置の制御方法であって、端末無線装置１００は、信号を受信する受信部５０と、受信部５０が受信した受信信号を復調する復調部３１と、受信信号の受信電界強度（ＲＳＳＩ）を検出する検出部３２と、受信信号のチャネルフォーマットを判別する判別部３３と、端末無線装置１００の動作モードを切り替える制御部４０と、を備え、端末無線装置１００の制御方法は、（ａ）検出部３２が、端末無線装置１００に割り当てられたスロットの第１、第２、第３の区間Ｓ１，Ｓ２，Ｓ３の受信電界強度を検出する工程と、（ｂ）判別部３３が、スロットの第１から第３の区間Ｓ１，Ｓ２，Ｓ３の受信電界強度に基づいて、複数のチャネルフォーマットの中から受信信号のチャネルフォーマットを判別する工程と、（ｃ）制御部４０が、判別部３３の判別結果に応じて、端末無線装置１００の動作モードを通常受信モード又は省電力モードに切り替える工程と、を備え、省電力動作モードにおいて少なくとも復調部３１の機能が停止する。
【００６９】
また、本実施の形態１における端末無線装置１００の制御方法において、工程（ｂ）は、（ｂ１）判別部３３が、第１、第２の区間Ｓ１，Ｓ２の受信電界強度の差と予め定められた閾値とを比較する工程と、（ｂ２）判別部３３が、工程（ｂ１）における比較結果に基づいて、チャネルフォーマットが第２のチャネルフォーマット（即ちハーフバースト）であるか否かを判別する工程と、（ｂ３）工程（ｂ２）においてチャネルフォーマットが第２のチャネルフォーマットでないと判別された場合、判別部３３が、第２、第３の区間Ｓ２，Ｓ３の受信電界強度の差と予め定められた閾値とを比較する工程と、（ｂ４）判別部３３が、工程（ｂ３）における比較結果に基づいて、チャネルフォーマットが第３のチャネルフォーマット（即ち折り返し運用同期バースト）であるか否かを判別する工程と、を備える。
【００７０】
従って、第１、第２の区間Ｓ１，Ｓ２のＲＳＳＩに基づいてチャネルフォーマットが第２のチャネルフォーマット（即ちハーフバースト）か否か判別を行い、その次に、第２、第３の区間Ｓ２，Ｓ３のＲＳＳＩに基づいてチャネルフォーマットが第３のチャネルフォーマット（即ち折り返し運用同期バースト）か否か判別を行うことにより、第１から第３のチャネルフォーマットを判別することが可能である。
【００７１】
また、本実施の形態１における端末無線装置１００の制御方法において、工程（ｃ）は、（ｃ１）端末無線装置１００が省電力モードの状態において、判別部３３が受信信号のチャネルフォーマットがフルバーストであると判別した場合、制御部４０が、動作モードを省電力モードから通常受信モードに切り替える工程を備える。従って、端末無線装置１００は基地局２０から受信する信号の変調を開始することが可能である。
【００７２】
また、本実施の形態１における端末無線装置１００の制御方法の工程（ｃ１）において、制御部４０は、受信信号のチャネルフォーマットがフルバーストであると判別されたスロットの受信途中において動作モードを省電力モードから通常受信モードに切り替え、（ｄ）工程（ｃ１）におけるスロットの受信途中から復調部３１が受信信号の復調を開始する工程をさらに備える。
【００７３】
従って、本実施の形態１の端末無線装置１００の制御方法においては、フルバーストと判別されたスロットの受信途中から復調を開始するため、次のフレームのスロットから復調を開始する場合と比較して、より早く通信を開始することが可能となる。
【００７４】
また、本実施の形態１における端末無線装置１００の制御方法において、工程（ｃ）は、（ｃ２）通話終了を示す信号を検出した後に、判別部３３が複数のスロットに渡って受信信号のフォーマットがハーフバーストであると連続して判別した場合、制御部４０が、動作モードを通常受信モードから省電力モードに切り替える工程と、（ｃ３）通話終了を示す信号を検出した後に、判別部３３が複数のスロットに渡って受信信号のフォーマットが折り返し運用同期バーストであると連続して判別した場合、制御部４０が、動作モードを通常受信モードから省電力モードに切り替える工程と、をさらに備える。
【００７５】
従って、通話終了を示す信号を検出した後に、複数のフレームに渡って受信信号のフォーマットがハーフバースト又は折り返し運用同期バーストであると連続して判別された場合に通常受信モードから省電力モードに切り替えるため、通信中に誤って省電力モードに切り替わってしまうことを抑制可能である。
【００７６】
また、本実施の形態１における端末無線装置１００の制御方法において、制御部４０は受信信号から同期ワード（ＳＷ）を検出し、工程（ｃ）は、端末無線装置１００が通常受信モードの状態において、制御部４０が、複数のスロットに渡って同期ワード（ＳＷ）を連続して検出することができない場合、制御部４０が、動作モードを通常受信モードから省電力モードに動作モードを切り替える工程を備える。従って、端末無線装置１００が通話エリア圏内に無い場合において省電力モードに切り替えることが可能である。
【００７７】
＜実施の形態２＞
＜構成＞
図１１は、本実施の形態２おける端末無線装置２００のブロック図である。図１１に示すように、本実施の形態２における端末無線装置２００は、端末無線装置１００（図６）に対して受信ゲイン設定部３４をさらに備える。受信ゲイン設定部３４は、端末無線装置２００に割り当てられたスロットの第３の区間Ｓ３のＲＳＳＩに基づいて、受信部５０の受信ゲインを設定する。制御部４０は、受信ゲイン設定部３４が設定した受信ゲインに基づいて、受信部５０の受信ゲインを切り替える。受信部５０の受信ゲインの切り替えは、無線部５２の受信ゲイン切り替え回路５２１の受信ゲインを切り替えることで行われる。受信ゲイン設定部３４および受信ゲイン切り替え回路５２１以外の構成は実施の形態１（図６）と同じため、説明を省略する。
【００７８】
＜動作＞
図３から図５で説明したように、フルバースト、ハーフバースト、折り返し同期バーストに共通して、第３の区間Ｓ３においてはＲＳＳＩが同じレベルである。これを利用することにより、端末無線装置２００が省電力モード中であっても、ハーフバースト又は折り返し同期バーストの第３の区間Ｓ３のＲＳＳＩに基づいて受信ゲインを設定することが可能である。
【００７９】
受信ゲイン設定部３４は、割り当てスロットの第３の区間Ｓ３のＲＳＳＩに基づいて現在の最適な受信ゲインの設定を算出し、制御部４０へ通知する。制御部４０は受信ゲイン切り替え回路５２１に対して受信ゲイン制御信号を送信して、通知された受信ゲインの設定を即座に反映させる。これにより、端末無線装置２００は省電力モードであっても常に最適な受信ゲインで基地局２０から送信される信号を受信することが可能となる。
【００８０】
図１２は、端末無線装置２００の受信ゲインの切り替えを説明する模式図である。端末無線装置２００は、例えば受信ゲインを３段階（大、中、小）に切り替え可能であるとする。図１２に示すように、ダイナミックレンジＲ１は、受信ゲインを「大」に設定した場合に検出可能なＲＳＳＩの範囲である。ダイナミックレンジＲ２は、受信ゲインを「中」に設定した場合に検出可能なＲＳＳＩの範囲である。ダイナミックレンジＲ３は、受信ゲインを「小」に設定した場合に検出可能なＲＳＳＩの範囲である。
【００８１】
図１２に示すように、受信ゲイン設定部３４は割り当てスロットの第３の区間Ｓ３のＲＳＳＩと、閾値Ｗ、Ｘ、Ｙ、Ｚとを比較して、受信ゲインを大、中、小のいずれかに設定する。スロットの第３の区間Ｓ３のＲＳＳＩが閾値Ｗを下回っている場合、受信ゲイン設定部３４は、受信ゲインを「大」に設定する。受信ゲインが「大」に設定されている場合において、第３の区間Ｓ３のＲＳＳＩが閾値Ｘを上回った場合、受信ゲイン設定部３４は、受信ゲインを「大」から「中」に変更する。
【００８２】
また、割り当てスロットの第３の区間Ｓ３のＲＳＳＩが閾値Ｚを上回っている場合、受信ゲイン設定部３４は、受信ゲインを「小」に設定する。受信ゲインが「小」に設定されている場合において、第３の区間Ｓ３のＲＳＳＩが閾値Ｙを下回った場合、受信ゲイン設定部３４は、受信ゲインを「小」から「中」に変更する。
【００８３】
このように、受信ゲイン設定部３４は、割り当てスロットの第３の区間Ｓ３のＲＳＳＩがより大きい場合、受信部５０の受信ゲインをより小さく設定し、第３の区間Ｓ３のＲＳＳＩがより小さい場合、受信部５０の受信ゲインをより大きく設定する。
【００８４】
例えば、省電力モード中の端末無線装置２００において現在の受信ゲインが「小」に設定されているとする。端末無線装置２００と基地局２０の距離が遠ざかるのに伴って、割り当てスロットの第３の区間Ｓ３のＲＳＳＩが減少して閾値Ｙを下回った場合、受信ゲイン設定部３４は受信ゲインを「小」から「中」に変更する。
【００８５】
このとき同時に、判別部３３において割り当てスロットのチャネルフォーマットがフルバーストであると判別された場合、制御部４０は即座に動作モードを省電力モードから通常受信モードに切り替え、このスロットの後半から受信信号の復調を開始する。
【００８６】
一方、判別部３３において割り当てスロットのチャネルフォーマットがハーフバースト又は折り返し運用同期バーストであると判別された場合、端末無線装置２００は省電力モードを継続する。そして、次の受信フレームの当該スロットにおいて、受信ゲイン「中」の状態で、同様に割り当てスロットのチャネルフォーマットの判別動作および受信ゲインの設定動作を実行する。
【００８７】
＜効果＞
本実施の形態２における端末無線装置２００は、スロットの第３の区間Ｓ３の受信電界強度（ＲＳＳＩ）に基づいて、受信部５０の受信ゲインを設定する受信ゲイン設定部３４をさらに備え、制御部４０は、受信ゲイン設定部３４が設定した受信ゲインに基づいて、受信部５０の受信ゲインを切り替え、受信ゲイン設定部３４は、第３の区間Ｓ３の電界強度がより大きい場合、受信部５０の受信ゲインをより小さく設定し、第３の区間Ｓ３の電界強度がより小さい場合、受信部５０の受信ゲインをより大きく設定する。
【００８８】
本実施の形態２における端末無線装置２００によれば、省電力モードにおいても受信ゲインを最適に設定することができるため、省電力モードから通常受信モードに切り替わった際に受信ゲインが適切に設定されていないことに起因する復調の不具合を抑制可能である。実施の形態１で述べたように、端末無線装置１００，２００は、フルバーストと判別されたスロットの受信途中において、省電力モードから通常受信モードに切り替えて受信信号の復調を開始する。そのため、通常受信モードに切り替わる前の省電力モードにおいて受信ゲインを設定可能な本実施形態２は特に有効であり、通話開始時の通信品質を改善できる。
【００８９】
また、スロットの第３の区間Ｓ３のＲＳＳＩがより大きい場合は受信ゲインをより小さく設定し、第３の区間Ｓ３のＲＳＳＩがより小さい場合は受信ゲインをより大きく設定することにより、基地局２０と端末無線装置２００の距離が変化するなどしてＲＳＳＩが変化した場合であっても、受信ゲインを最適に維持することが可能である。
【００９０】
また、本実施の形態２における端末無線装置２００の制御方法において、端末無線装置２００は、受信部５０の受信ゲインを設定する受信ゲイン設定部３４をさらに備え、端末無線装置２００の制御方法は、（ｅ）受信ゲイン設定部３４が、スロットの第３の区間Ｓ３の受信電界強度（ＲＳＳＩ）に基づいて、受信部５０の受信ゲインを設定する工程と、（ｆ）制御部４０が、受信ゲイン設定部３４が設定した受信ゲインに基づいて、受信部５０の受信ゲインを切り替える工程と、をさらに備え、工程（ｅ）において、受信ゲイン設定部３４は、第３の区間Ｓ３の電界強度がより大きい場合、受信部５０の受信ゲインをより小さく設定し、第３の区間Ｓ３の電界強度がより小さい場合、受信部５０の受信ゲインをより大きく設定する。
【００９１】
本実施の形態２における端末無線装置２００によれば、省電力モードにおいても受信ゲインを最適に設定することができるため、省電力モードから通常受信モードに切り替わった際に受信ゲインが適切に設定されていないことに起因する復調の不具合を抑制可能である。また、また、スロットの第３の区間Ｓ３のＲＳＳＩがより大きい場合は受信ゲインをより小さく設定し、第３の区間Ｓ３のＲＳＳＩがより小さい場合は受信ゲインをより大きく設定することにより、基地局２０と端末無線装置２００の距離が変化するなどしてＲＳＳＩが変化した場合であっても、受信ゲインを最適に維持することが可能である。
【００９２】
なお、本発明は、その発明の範囲内において、各実施の形態を自由に組み合わせたり、各実施の形態を適宜、変形、省略することが可能である。
【符号の説明】
【００９３】
１０  中央局、１１  通信制御装置、１２  中央設備、２０  基地局、２１  基地局制御装置、２２  無線装置、３１  復調部、３２  検出部、３３  判別部、３４  受信ゲイン設定部、４０  制御部、４１  第１のカウンタ部、４２  第２のカウンタ部、５０  受信部、５１  アンテナ、５２  無線部、５２１  受信ゲイン切り替え回路、５３  Ａ／Ｄ変換部、５４  ベースバンド信号生成部、１００，２００  端末無線装置。
【図１】
0006799953.tif 000002
【図２】
0006799953.tif 000003
【図３】
0006799953.tif 000004
【図４】
0006799953.tif 000005
【図５】
0006799953.tif 000006
【図６】
0006799953.tif 000007
【図７】
0006799953.tif 000008
【図８】
0006799953.tif 000009
【図９】
0006799953.tif 000010
【図１０】
0006799953.tif 000011
【図１１】
0006799953.tif 000012
【図１２】
0006799953.tif 000013